(57)【要約】【課題】  電池が電圧不足かどうかを容易に認識できる電池消耗表示装置を提供することを目的とする。【解決手段】  電池Ｂの出力電圧を測定して、該出力電圧がゼロボルトより大きい所定の下限電圧値以下の状態を検出し、この下限電圧値以下の検出状態を出力する下限電圧検出回路１１と、該下限電圧検出回路１１から検出状態の出力を基に、電池出力にて、不可逆性表示体５を表示状態とする表示回路１２とを備える。不可逆性表示体５は、熱変色性材料である。【選択図】  図１
2007101181.tif 000002
【特許請求の範囲】
【請求項１】
電池の出力電圧を測定して、該出力電圧がゼロボルトより大きい所定の下限電圧値以下の状態を検出し、この下限電圧値以下の検出状態を出力する下限電圧検出回路と、
該下限電圧検出回路から検出状態の出力を基に、電池出力にて、不可逆性表示体を表示状態とする表示回路とを備えることを特徴とする電池消耗表示装置。
【請求項２】
前記不可逆性表示体は、熱変色性材料であることを特徴とする請求項１の電池消耗表示装置。
【請求項３】
前記不可逆性表示体は、表示可動機構を備え、前記電池出力にて、前記表示可動機構を可動させて、前記不可逆性表示体を前記表示状態とすることを特徴とする請求項１の電池消耗表示装置。
【請求項４】
前記不可逆性表示体は、静止した静止部材と、前記表示可動機構により可動する可動体とを備え、可動前後での前記静止部材と前記可動体との位置関係に基づいて、前記表示状態を表示させることを特徴とする請求項３の電池消耗表示装置。
【発明の詳細な説明】
【技術分野】
【０００１】
本発明は、電池消耗表示装置に関する。
【背景技術】
【０００２】
従来、熱変色性材料を利用して、電池の電圧を検出し、電池寿命、換言するなら、電池の消耗を表示させる電圧テスターが下記の特許文献１に開示されている。このような電圧テスターにおいて、熱変色性材料は、テスター不使用時の通常の色から、電池の電圧に応じて抵抗体が発熱して、熱で変色している。熱変色性材料が変色することで、電圧テスターの使用者は、電池の電圧を把握し、電池寿命、電池の消耗を認識する。
【特許文献１】特許第２５０５０９５号
【発明の開示】
【発明が解決しようとする課題】
【０００３】
このような電圧テスターの熱変色性材料は、電圧テスターであるために繰り返し使用するので、電池テスターを使用しないときは、通常の色に戻る可逆性の表示材料であった。
【０００４】
よって、電圧テスターを使用する時は、電圧不足の表示をされるものの、電圧テスターの使用後に、電圧不足の電池が放置されると、この電池が電圧不足かどうかは、再度、電圧テスターを使用しないと、判断できなかった。
【０００５】
本発明は、上述のような問題点を解決するために成されたものであり、電池が電圧不足かどうかを容易に認識できる電池消耗表示装置を提供することを目的とする。
【課題を解決するための手段】
【０００６】
本発明の電池消耗表示装置は、電池の出力電圧を測定して、該出力電圧がゼロボルトより大きい所定の下限電圧値以下の状態を検出し、この下限電圧値以下の検出状態を出力する下限電圧検出回路と、該下限電圧検出回路から検出状態の出力を基に、電池出力にて、不可逆性表示体を表示状態とする表示回路とを備えることを特徴とする。また、前記不可逆性表示体は、熱変色性材料であることを特徴とする。更には、前記不可逆性表示体は、表示可動機構を備え、前記電池出力にて、前記表示可動機構を可動させて、前記不可逆性表示体を前記表示状態とする。
【０００７】
更に、前記不可逆性表示体は、静止した静止部材と、前記表示可動機構により可動する可動体とを備え、可動前後での前記静止部材と前記可動体との位置関係に基づいて、前記表示状態を表示させることを特徴とする。
【発明の効果】
【０００８】
本発明においては、電池の出力電圧が、所定の下限電圧値以下の状態を検出したとき、不可逆性表示体を表示状態とすることができる。所定の下限電圧値以下の状態を検出したとき、下限電圧値はゼロボルトより大きいので、電池は放電できる容量、電圧を有しており、この容量、電圧を利用して、不可逆性表示体を表示状態とすることができる。そして、表示体は不可逆性であるので、一度表示状態となれば、その後、表示状態（電池が下限電圧以下に達して電池の消耗状態であることの表示）を維持できる。この電池の消耗状態は、電池が一次電池であれば、寿命を意味する。
【発明を実施するための最良の形態】
【０００９】
本発明の実施例を、図１〜３を用いて、以下に詳細に説明する。図１は、本実施例の電池消耗表示装置を含んだパック電池を示し、図２は、電池消耗表示装置に負荷を接続したときの回路ブロック図であり、図３は、本実施例の表示体を示す図である。
【００１０】
図１の電池消耗表示装置Ａ、及び、電池Ｂを含むパック電池Ｃの外観斜視図であって、パック電池Ｃは、円筒形のリチウム１次電池等の素電池１、１を２本並べて電気的に直列接続した電池Ｂと、この電池Ｂに電気配線（図示せず）されたマイナス出力端子２−、プラス出力端子２＋と、これらを被う樹脂材料からなる外ケース３とを備えている。また、外ケース３の外側側面には、矩形面状の表示体５が設置されている。
【００１１】
図２のブロック回路図に示すように、電池Ｂの出力電圧は、下限電圧検出回路１１に入力されて測定される。下限電圧検出回路１１においては、出力電圧が、ゼロボルトより大きい所定の下限電圧値以下の状態を検出し、この下限電圧値以下の状態を検出したとき、検出状態の信号出力を、表示回路５に出力している。表示回路１２は、下限電圧検出回路１１から、下限電圧値以下の検出状態の信号出力を得て、これを検知して、電池Ｂの出力電力を、不可逆性の表示体５に供給する。出力電力を供給された表示体５は、電池消耗または電池寿命を示す表示状態に移行するために利用される。表示体５は、不可逆性であるので、一度、表示状態となると、非表示状態となることはない。
【００１２】
また、電池Ｂの出力は、負荷Ｌにも供給される。該負荷Ｌは、電池Ｂを電源とする電子機器である。このような負荷Ｌである電子機器は、図１のパック電池Ｃを装着したとき、表示体５が見える状態とする。
【００１３】
下限電圧検出回路１１においては、このような所定の下限電圧値は、例えば、２本直列のリチウム１次電池においては、４Ｖ（＝２Ｖ／Cell）に設定される。このような下限電圧値は、負荷Ｌの駆動できる最低電圧と同等として、４Ｖ以下では負荷Ｌは駆動することができないので、４Ｖ（＝２Ｖ／Cell）以下となった電池Ｂの残存容量は、不可逆性の表示体５を、電池消耗または電池寿命を示す表示状態に移行するために利用される。
【００１４】
以下に表示体５について、詳細に説明する（表示体の第1実施例）。本実施例においては、表示体５は、熱変色性材料からなる。この材料は所定の反応温度以上になると、色が変化する材料である。
【００１５】
表示体５の詳細について、図３を用いて説明する。表示体５は略１cm角程度の板状であって、同寸法のプリント基板５１上に、帯状の銅箔パターン配線として正電極５２＋、負電極５２−を配置し、正負電極間に、加熱抵抗体として、複数のニクロム線５３を配置し両端を、正電極５２＋、負電極５２−上に半田付けしている。複数のニクロム線５３上を含む基板５１上に、不可逆性の熱変色性材料からなる熱変色性材料層５４を配置する。この不可逆性の熱変色性材料は、所定の反応温度を超えると、色が変わり、表示状態となる材料である。熱変色性材料は、例えば、（株）内外コーポレーションから発売されている温度管理用示温材サーモペイントを利用することがきる。また、図示しないが、熱変色性材料層５４上には、保護を目的に、透明フィルム等の透明保護層を設けることができる。本実施例においては、電池の電圧が低下して、下限電圧検出回路１１において、所定の下限電圧値以下の状態を検出したとき、表示回路１２は、電池Ｂの出力電力を、表示体５に供給する。出力電力は、正電極５２＋、負電極５２−間に印加されて、複数のニクロム線５３が発熱し、この熱により熱変色性材料は、所定の反応温度を超え、変色する。これにより、表示体５の色が、変色前の色より変色した色になることより、使用者は、電池の消耗、寿命状態を知ることができる。そして、熱変色性材料は不可逆性であることより、一度、色が変わると、それ以後、この色が維持されるので、表示体５の色を見れば、直ぐに、電池の消耗、寿命状態を知ることができる。
【００１６】
また、図３においては、加熱抵抗体としてニクロム線を利用しているが、これに代わって、電気抵抗性インクを利用することができる。これを、図４を用いて説明する（表示体の第２実施例）。
【００１７】
図４の表示体６においては、ポリイミド等の耐熱性樹脂からなるフィルムの基板６１上に、伝導性インクからなる帯状の正電極６２＋、負電極６２−を配置する。伝導性インク
としては、低抵抗が要求され、銅、銀、ニッケル等の金属粉体を含むペースト材料を、加熱して乾燥させたものが利用できる。そして、正電極６２＋、負電極６２−上にまたがって、電気抵抗性インクからなる電気抵抗層６３が配置されている。この電気抵抗性インクは、抵抗性材料として、エポキシ又はウレタンをバインダーとして、粉体の銀、ニッケル、カーボン又はそれらの混合物をパターン配置し、加熱して乾燥させたものである。
【００１８】
更に、電気抵抗層６３上に、熱変色性材料からなる熱変色性材料層６４が配置される。熱変色材料としては、上述と同様のものが利用できる。また、図示しないが、熱変色性材料層６４上には、保護を目的に、透明フィルム等の透明保護層を設けることができる。そして、表示回路１２の動作で通電されたとき、電気抵抗層６３が、熱変色性材料の所定の反応温度を超える発熱が発生するように、電気抵抗層６３の抵抗、表面積等が設計されている。
【００１９】
図４の表示体６の実施例においても、電池の電圧が低下して、下限電圧検出回路１１において、所定の下限電圧値以下の状態を検出したとき、表示回路１２は、電池Ｂの出力電力を、表示体６に供給する。出力電力は、正電極６２＋、負電極６２−間に印加されて、電気抵抗層６３が発熱し、この熱により熱変色性材料は、所定の反応温度を超え、変色する。これにより、表示体６の色が、変色前の色より変色した色になることより、使用者は、電池の消耗、寿命状態を知ることができる。そして、熱変色性材料は不可逆性であることより、一度、色が変わると、それ以後、この色が維持されるので、表示体６の色を見れば、直ぐに、電池の消耗、寿命状態を知ることができる。
【００２０】
表示体の他の例を、図５を用いて、説明する（表示体の第３実施例）。図５の不可逆性の表示体７は、熱変色性材料を利用するのではなく、表示可動機構を、移動、可動させることで、表示体７を、表示状態にしている。表示体７においては、外側プレート体７１を備え、この外側プレート体７１を貫通する開口窓である表示部７１Ｄを有している。  外側プレート体７１の背面側には、上下方向にスライド移動可能な構造（詳細構造は省略する）で、表示プレート７２が配置され、表示プレート７２の下端には永久磁石７３が固定されている。磁石７３において、この下端に一方の磁極が位置する構造となっている。ここで、永久磁石７３に代わって、磁性材料、例えば、鉄等を利用することができる。また、表示プレート７２においては、下半分には「出力中」の表示が、上半分には「終了」の表示がなされている。表示プレート７２、磁石７３の下側には、動作回路７４が配置される。この動作回路７４は、抵抗Ｒ及びコイルＬからなる。
【００２１】
以上の不可逆性表示体７は、以下のように、動作して、電池の消耗、寿命を表示する。電池電圧が十分に高く、所定の下限電圧値を超える間は、下限電圧検出回路１１、表示回路１２は動作せず、図５（ｂ）の状態（＝非表示状態）となる。図５（ｂ）の状態においては、外側プレート体７１の表示部７１Ｄにおいては、表示プレート７２の「出力中」（電池出力が十分にある場合を示している）と表示されることになる。
【００２２】
電池の電圧が低下して、下限電圧検出回路１１において、所定の下限電圧値以下の状態を検出したとき、表示回路１２は、電池Ｂの出力電力を、表示体７に供給する。動作回路７４の正負極間に電力が供給されて、コイルＬに電流が流れると、磁界が発生し、表示プレート７２のに固定さた永久磁石７３の下端の磁極を引き寄せる力を発生させる。この吸引力により、図５（ｃ）に示すように、磁石７３と表示プレート７２が下方に移動し、外側プレート体７１の表示部７１Ｄにおいては、表示プレート７２の「終了」が表示され（＝表示状態）、使用者は、電池の消耗、寿命状態を知ることができる。このような動作をする表示体７は、一度、表示体の表示が、「出力中」から「終了」となれば、表示内容が変更したり、再度、「出力中」と戻ることもないので、不可逆性表示体である。このように、図５に示した実施例においては、電池出力にて、表示可動機構を可動させて、不可逆性表示体７を表示状態（「終了」の表示）としている。
【００２３】
上記の不可逆性表示体７の第3実施例においては、静止した静止部材として外側プレート７１、表示可動機構により可動する可動体として表示プレート７２を備え、移動、可動前後での静止部材と可動体との位置関係に基づいて、表示状態を表示させている。
【００２４】
表示体の他の例を、図６を用いて、説明する（表示体の第４実施例）。図６の不可逆性の表示体８は、熱変色性材料を利用するのではなく、表示可動機構を、移動、可動させることで、表示体８を、表示状態にしている。表示体８においては、外側プレート体８１を備え、この外側プレート体８１を貫通する開口窓である表示部８１Ｄを有している。外側プレート体８１の背面側には、上下方向にスライド移動可能な構造（詳細構造は省略する）で、表示プレート８２が配置され、表示プレート８２の上端は、連結棒８２ｂを介して感温表示可動機構８３と連結されている。また、表示プレート８２においては、下半分には「出力中」の表示が、上半分には「終了」の表示がなされている。
【００２５】
感温表示可動機構８３の上側には、電池出力により通電されて発熱するニクロム線からなる発熱部８４が設けられている。図示しないが、発熱部８４のプラス、マイナス端子に、電池出力が供給される。感温表示可動機構８３（図６（ｂ）（ｃ）にその断面図を示す）は、発熱部８４からの発熱により、可動体としての表示プレート８２を上下方向に移動させる機構である。詳細には、図６（ｂ）（ｃ）に示すように、アルミ材料等からなる空洞の円柱状の外装体８３ａと、この中を上下方向に移動できる略円板型の移動板８３ｂと、これの上側に固定された略円板型の永久磁石８３ｃとを有している。移動板８３ｂには、連結棒８２ｂの上端が連結されているので、移動板８３ｂの上下移動により、表示プレート８２を移動させることができる。そして、外装体８３ａの内側の上面には、略円板型の感熱フェライト８３ｅが固定されている。この感熱フェライト８３ｅは、所定のキューリー温度以上となると強磁性体から常磁性体となるもので、常温を含むキューリー温度未満においては、感熱フェライト８３ｅは強磁性体であるので、感熱フェライト８３ｅは磁石８３ｃを吸着する。そして、後述するように、電池出力を発熱部８４に通電したときは、発熱が感熱フェライト８３ｅに伝達されてキューリー温度以上となり、感熱フェライト８３ｅは、強磁性でない常磁性となることで磁石８３ｃに吸着されなくなることより、磁石８３ｃ及び移動板８３ｂが重力により落下、離脱することで、下方に移動させることができる。そして、電池出力がなくなり通電を停止して、感熱フェライト８３ｅがキューリー温度未満となり強磁性体となっても、図６（ｃ）にて確認できるように、磁石８３ｃと感温フェライト８３ｅの距離が大きいので、両者が吸着することはない。また、キューリー温度以上での感熱フェライト８３ｅと、磁石８３ｃとの離脱をより確実にするために、外装体８３ａの上面と、移動板８３ｂとの間に、コイルスプリング（図示せず）を挿入しても良い。このようなコイルスプリングは、図６（ｂ）の感熱フェライト８３ｅと磁石８３ｃとの吸着状態で、コイルスプリングを縮め、図６（ｃ）の感熱フェライト８３ｅと磁石８３ｃとの離脱状態（＝落下した状態）で、コイルスプリングを伸びる状態とする。更に、このコイルスプリングにより、１度、離脱すれば、再度、キューリー温度未満となっても、磁石８３ｃと感温フェライト８３ｅとが吸着しないことが確実となる。
【００２６】
以上の不可逆性表示体８は、以下のように、動作して、電池の消耗、寿命を表示する。電池電圧が十分に高く、所定の下限電圧値を超える間は、下限電圧検出回路１１、表示回路１２は動作せず、感熱フェライト８３ｅは磁石８３ｃを吸着して、図６（ｂ）の状態（＝非表示状態）となる。図６（ｂ）の状態においては、外側プレート体８１の表示部８１Ｄ（位置を示すために点線で示す）においては、表示プレート８２の「出力中」（電池出力が十分にある場合を示している）と表示されることになる。
【００２７】
電池の電圧が低下して、下限電圧検出回路１１において、所定の下限電圧値以下の状態を検出したとき、表示回路１２は、電池Ｂの出力電力を、表示体８の発熱部８４に供給する。通電により、発熱部８４が発熱し、熱が感熱フェライト８３ｅに伝達され、そのキューリー温度以上となると、感熱フェライト８３ｅが強磁性体から常磁性体となり、磁石８３ｃに吸着されなくなることより、磁石８３ｃ及び移動板８３ｂが下方に、落下、移動する。この移動により、図６（ｃ）に示すように、表示プレート８２が下方に移動し、外側プレート体８１の表示部８１Ｄ（位置を示すために点線で示す）においては、表示プレート８２の「終了」が表示され（＝表示状態）、使用者は、電池の消耗、寿命状態を知ることができる。このような動作をする表示体８は、一度、表示体の表示が、「出力中」から「終了」となれば、表示内容が変更したり、再度、「出力中」と戻ることもないので、不可逆性表示体である。このように、図６に示した実施例においては、電池出力にて、表示可動機構を可動させて、不可逆性表示体８を表示状態（「終了」の表示）としている。上記の不可逆性表示体８の第４実施例においては、静止した静止部材として外側プレート８１、表示可動機構により可動する可動体として表示プレート８２を備え、移動、可動前後での静止部材と可動体との位置関係に基づいて、表示状態を表示させている。
【００２８】
表示体の他の例を、図７を用いて、説明する（表示体の第５実施例）。図７の不可逆性の表示体９は、表示可動機構を、移動、可動させることで、表示体９を、表示状態にしている。表示体９においては、外側プレート体９１を備え、この外側プレート体９１を貫通する開口窓である表示部９１Ｄを有している。外側プレート体９１の背面側には、上下方向にスライド移動可能な構造（詳細構造は省略する）で、表示プレート９２が配置され、表示プレート９２の上端は、連結棒９２ｂを介して表示可動機構９３と連結されている。
また、表示プレート９２においては、下半分には「出力中」の表示が、上半分には「終了」の表示がなされている。
【００２９】
表示可動機構９３（図７（ｂ）（ｃ）にその断面図を示す）は、電池出力が十分にあるときは、永久磁石により移動板を吸着し、
電池電圧が所定の下限電圧値以下の状態になると、電池の出力電力を電磁石に供給して永久磁石の磁界を打ち消して、永久磁石による吸着をなくして移動板を落下、移動させて、表示状態としている。このような表示可動機構９３は、底面がない空洞の円柱状のヨーク（＝継鉄）９３ａと、この中心に配置された円柱体の永久磁石９３ｂと、この下に配置された円柱体の鉄心９３ｃと、これの外周に巻回されたコイル９３ｄとを有している。図示しないが、コイル９３ｄのプラス、マイナス端子に、電池出力が供給される。また、ヨーク９３ａ、永久磁石９３ｂ、鉄心９３ｃは、各中心軸が直線状となるように配置されている。ヨーク９３ａの下面を被うように、強磁性体材料である鉄等からなる略円板状の移動板９３ｅが配置される。
【００３０】
そして、このような構成の表示可動機構９３は、以下のように、動作する。コイル９３ｄに通電されないときは、永久磁石９３ｂの吸着力により、ヨーク９３ａの下面に、移動板９３ｅを吸着することができる。一方、コイル９３ｄに通電したときは、鉄心９３ｃを利用した電磁石（磁力線を図に矢印で示す）となり、鉄心９３ｃからの磁界（磁力線を図に矢印で示す）が、永久磁石９３ｂの磁界を打ち消すように働くことで、永久磁石９３ｂの吸着力をなくし、移動板９３ｅが重力により落下、離脱することで、下方に移動させることができる。一度、落下させると、移動板９３ｂと永久磁石９３ｂとの距離が大きいので、コイル９３ｄの通電がなくなっても、移動板９３ｂが永久磁石９３ｂに吸着されることはない。また、コイル９３ｄに通電したときに、移動板９３ｅの落下、離脱を確実に行うために、表示可動機構９３が移動板９３ｂを吸着した状態で、下方向に付勢する力を与えるバネ（図示せず）を設置しても良い。
【００３１】
以上の不可逆性表示体９は、以下のように、動作して、電池の消耗、寿命を表示する。電池電圧が十分に高く、所定の下限電圧値を超える間は、下限電圧検出回路１１、表示回路１２は動作せず、永久磁石９３ｂの吸着力により、ヨーク９３ａの下面に、移動板９３ｅが吸着され、図７（ｂ）の状態（＝非表示状態）となる。図７（ｂ）の状態においては、外側プレート体９１の表示部９１Ｄ（位置を示すために点線で示す）においては、表示プレート９２の「出力中」（電池出力が十分にある場合を示している）と表示されることになる。
【００３２】
電池の電圧が低下して、下限電圧検出回路１１において、所定の下限電圧値以下の状態を検出したとき、表示回路１２は、電池Ｂの出力電力を、表示体９のコイル９３ｄに供給する。コイル９３ｄの通電により、発生した磁界は、鉄心９３ｃを通過して、永久磁石９３ｂの磁界を打ち消すように働くことで、永久磁石９３ｂの吸着力をなくし、移動板９３ｅが重力により落下することで、下方に移動させることができる。この移動により、図６（ｃ）に示すように、表示プレート９２が下方に移動し、外側プレート体９１の表示部９１Ｄ（位置を示すために点線で示す）においては、表示プレート９２の「終了」が表示され（＝表示状態）、使用者は、電池の消耗、寿命状態を知ることができる。このような動作をする表示体９は、一度、表示体の表示が、「出力中」から「終了」となれば、表示内容が変更したり、再度、「出力中」と戻ることもないので、不可逆性表示体である。このように、図７に示した実施例においては、電池出力にて、表示可動機構を可動させて、不可逆性表示体９を表示状態（「終了」の表示）としている。上記の不可逆性表示体９の第５実施例においては、静止した静止部材として外側プレート９１、表示可動機構により可動する可動体として表示プレート９２を備え、移動、可動前後での静止部材と可動体との位置関係に基づいて、表示状態を表示させている。
【００３３】
表示体の他の例を、図８を用いて、説明する（表示体の第６実施例）。図８の不可逆性の表示体１００は、表示可動機構を、移動、可動させることで、表示体１００を、表示状態にしている。表示体１００においては、外側プレート体１０１を備え、この外側プレート体１０１を貫通する開口窓である表示部１０１Ｄを有している。外側プレート体１０１の背面側には、上下方向にスライド移動可能な構造（詳細構造は省略する）で、表示プレート１０２が配置され、表示プレート１０２の上端は、連結棒１０２ｂを介して表示可動機構１０３と連結されている。また、表示プレート１０２においては、下半分には「出力中」の表示が、上半分には「終了」の表示がなされている。
【００３４】
表示可動機構１０３（図８（ｂ）（ｃ）にその断面図を示す）は、電池出力が十分にあるときは、電磁石に通電をして、移動板を吸着し、電池電圧が所定の下限電圧値以下の状態になると、電磁石の通電を停止している。
このような通電を行うので、図２のブロック回路図において、以下の回路の構成、動作が異なることになる。下限電圧検出回路１１において、下限電圧値以下の状態を検出しないとき、即ち、電池電圧が十分にあるときは、表示回路１２は、下限電圧値以下の検出状態の信号出力がないことを検知して、電池Ｂの出力電力を、不可逆性の表示体１００に供給する。そして、表示回路１２が、下限電圧検出回路１１から、下限電圧値以下の検出状態の信号出力を得て、これを検知したときは、不可逆性表示体１００への電池Ｂの出力電力の供給を停止する。
【００３５】
表示可動機構１０３は、底面がない空洞の円柱状のヨーク（＝継鉄）１０３ａと、この中心に配置された円柱体の鉄心１０３ｃと、これの外周に巻回されたコイル１０３ｄとを有している。図示しないが、コイル１０３ｄのプラス、マイナス端子に、電池出力が供給される。そして、ヨーク１０３ａの下面を被うように、強磁性体材料である鉄等からなる略円板状の移動板１０３ｅが配置される。
【００３６】
そして、このような構成の表示可動機構１０３は、以下のように、動作する。コイル１０３ｄに通電されるときは、電磁石となり、ヨーク１０３ａの下面に、移動板１０３ｅを吸着することができる。一方、コイル１０３ｄの通電を停止したときは、電磁石の磁界が消滅することより、吸着力がなくなり、移動板１０３ｅが重力により落下することで、下方に移動させることができる。
【００３７】
以上の不可逆性表示体１００は、以下のように、動作して、電池の消耗、寿命を表示する。電池電圧が十分に高く、所定の下限電圧値を超える間は、下限電圧検出回路１１は下限電圧値以下の状態を検出せず、表示回路１２は、電池Ｂの出力電力を、不可逆性の表示体１００に供給して、図８（ｂ）の状態（＝非表示状態）となる。図８（ｂ）の状態においては、表示可動機構１０３が移動板１０３ｅを吸着して、外側プレート体１０１の表示部１０１Ｄ（位置を示すために点線で示す）においては、表示プレート１０２の「出力中」（電池出力が十分にある場合を示している）と表示されることになる。
【００３８】
電池の電圧が低下して、下限電圧検出回路１１において、所定の下限電圧値以下の状態を検出したとき、表示回路１２は、電池Ｂの出力電力の供給を停止する。コイル１０３ｄの通電が停止されることより、吸着力がなくなり、移動板９３ｅが重力により落下することで、下方に移動させることができる。この移動により、図８（ｃ）に示すように、表示プレート１０２が下方に移動し、外側プレート体１０１の表示部１０１Ｄ（位置を示すために点線で示す）においては、表示プレート１０２の「終了」が表示され（＝表示状態）、使用者は、電池の消耗、寿命状態を知ることができる。このような動作をする表示体１００は、一度、表示体の表示が、「出力中」から「終了」となれば、表示内容が変更したり、再度、「出力中」と戻ることもないので、不可逆性表示体である。このように、図８に示した実施例においては、電池出力にて、表示可動機構を可動させて、不可逆性表示体１００を表示状態（「終了」の表示）としている。上記の不可逆性表示体１００の第６実施例においては、静止した静止部材として外側プレート１０１、表示可動機構により可動する可動体として表示プレート１０２を備え、移動、可動前後での静止部材と可動体との位置関係に基づいて、表示状態を表示させている。
【００３９】
以上の表示体の第３実施例〜第６実施例においては、表示可動機構により可動する可動体（＝表示プレート）に、「出力中」、「終了」を書き込んでいたが、次のような構成にすることでも、移動、可動前後での静止部材と可動体との位置関係に基づいて、表示状態を表示させることができる。
【００４０】
図９に示すように、表示体１１０は、外側プレート体１１１を備え、この外側プレート体１１１の背面に配置される表示プレート１１２には、円形着色部である印１１２Ｍが設けられている。外側プレート体１１１は、貫通する縦長の開口窓である表示部１１１Ｄを有し、この表示部１１１Ｄより、印１１２Ｍを確認することができる。また、このような印は、着色だけでなく、例えば、突起形状のように、形状にて印とすることもできる。
【００４１】
表示部１１１Ｄの横には、外側プレート体１１１の表面上に、上に「出力中」、下に「終了」が書き込んである。このような構成により、図９においては、「出力中」の左側に印１１２Ｍが位置するので、電池Ｂが「出力中」であることが確認される。そして、上述の実施例と同様の表示可動機構１１３の移動、可動により、可動体である表示プレート１１２が、下側に移動、可動すると、「終了」の左側に印１１２Ｍが移動するので、表示状態となり、使用者は、電池の消耗、寿命状態を知ることができる。
【図面の簡単な説明】
【００４２】
【図１】本発明の一実施例の電池消耗表示装置を含んだパック電池を示す斜視図である。
【図２】本発明の一実施例の電池消耗表示装置の回路ブロック図である。
【図３】本発明の一実施例の表示体であり、（ａ）は正面図、（ｂ）は（ａ）のＡ−Ａ線断面図である。
【図４】本発明の表示体の他の例（表示体の第２実施例）であり、（ａ）は正面図、（ｂ）は（ａ）のＡ−Ａ線断面図である。
【図５】本発明の表示体の更なる他の例（表示体の第３実施例）であり、（ａ）は正面図、（ｂ）は非表示状態の各部品の位置関係を示す正面図、（ｃ）は表示状態の各部品の位置関係を示す正面図である。
【図６】本発明の表示体の更なる他の例（表示体の第４実施例）であり、（ａ）は正面図、（ｂ）は非表示状態の各部品の位置関係を示す正面図、（ｃ）は表示状態の各部品の位置関係を示す正面図である。
【図７】本発明の表示体の更なる他の例（表示体の第５実施例）であり、（ａ）は正面図、（ｂ）は非表示状態の各部品の位置関係を示す正面図、（ｃ）は表示状態の各部品の位置関係を示す正面図である。
【図８】本発明の表示体の更なる他の例（表示体の第６実施例）であり、（ａ）は正面図、（ｂ）は非表示状態の各部品の位置関係を示す正面図、（ｃ）は表示状態の各部品の位置関係を示す正面図である。
【図９】本発明の表示体の他の例を示す正面図である。
【符号の説明】
【００４３】
Ａ  電池消耗表示装置
Ｂ  電池
Ｃ  パック電池
１１  下限電圧検出回路
１２  表示回路
５、６、７、９、１００、１１０  表示体
【図１】
2007101181.tif 000003
【図２】
2007101181.tif 000004
【図３】
2007101181.tif 000005
【図４】
2007101181.tif 000006
【図５】
2007101181.tif 000007
【図６】
2007101181.tif 000008
【図７】
2007101181.tif 000009
【図８】
2007101181.tif 000010
【図９】
2007101181.tif 000011